(57)【要約】【課題】装置に装着された記憶媒体上の画像を直接印字する印字装置において、写真印刷を簡単、容易に行えるようにする。【解決手段】同様のシーンを複数枚撮影した画像を自動的にグループ分けする画像グループ分け手段２０１２を備え、選択したい画像の候補となりうる画像を、それぞれの違いが識別できるように印刷サイズを変更してインデックス印刷を行うようにした。これにより、最もよい撮影状態の画像を候補の中から簡単に選択することができる。【選択図】図２
2008290273.tif 000002
【特許請求の範囲】
【請求項１】
装着された記憶媒体上の画像データを直接印字する印字装置であって、
記憶媒体に保存されている画像データを印刷データに変換する画像処理手段と、
前記画像処理手段により作成される印刷データを印字するための印刷手段と、
記憶媒体に保存された画像データを、印刷するレイアウトサイズに合わせるための解像度変換手段と、
記憶媒体に保存されている画像データの選択、選択された画像データの印刷枚数の指定、及び印刷する画像データの処理項目を設定するための操作部と、
記憶媒体に保存されている画像データ、画像データの画像番号、及び当該印字装置の状態を表示するための表示部と、
記憶媒体を装着するための記憶媒体装着部と、
選択された複数の画像を印刷位置に配置するためのレイアウト配置手段とを備え、
１枚の印刷用紙において異なるレイアウトサイズの画像を印刷することを特徴とする印字装置。
【請求項２】
当該印字装置に装着された記憶媒体に保存されている画像データを特定のグループにグループ分けする手段を備え、グループ分けされた画像グループ毎に異なるレイアウトサイズにて印刷することを特徴とする請求項１に記載の印字装置。
【請求項３】
当該印字装置に装着された記憶媒体上の画像データの撮影時刻を検出する手段を備え、前記特定のグループにグループ分けする手段は、前記撮影時刻を検出する手段にて検出された撮影時刻を基準としてグループ分けすることを特徴とする請求項２に記載の印字装置。
【請求項４】
撮影した画像データの撮影状況を検出する手段を備え、前記特定のグループにグループ分けする手段は、前記撮影状況を検出する手段により検出された撮影状況を基準として、グループ分けすることを特徴とする請求項３に記載の印字装置。
【請求項５】
同一の画像データにおいて高解像度の画像データと低解像度の画像データとがあるかどうか判断する手段を備え、グループ分けされた画像グループ毎に高解像度の画像データ、または低解像度の画像データのどちらかを選択し、選択された画像データを用いて印刷することを特徴とする請求項４に記載の印字装置。
【発明の詳細な説明】
【技術分野】
【０００１】
本発明は、ホストコンピュータを用いることなく、印字装置本体に装着された記憶媒体に保存されている画像データを展開し、印字装置本体のみで印刷データを作成して、印刷することができる印字装置に関する。
【背景技術】
【０００２】
従来より、ホストコンピュータを用いることなく印字装置のみで印刷可能な印字装置(以下、ダイレクトプリンタと呼ぶ)がある。ダイレクトプリンタは、従来のホストコンピュータを用いて印刷する印字装置に加え、コンパクトフラッシュ(登録商標)やＰＣＭＣＩＡカード等(以下これらの記憶媒体を総称してメモリカードと呼ぶ)の記憶媒体装着部を備えている。そして、ダイレクトプリンタは、デジタルカメラ等で撮影した画像データを保存したメモリカードを前記記憶媒体装着部に装着し、そのメモリカードに記憶されている画像に画像処理を行うための画像処理部を備え、印刷データを作成して印刷する。
【０００３】
また、ダイレクトプリンタは、ホストコンピュータと接続するためのインタフェースを備えることで、ホストコンピュータとダイレクトプリンタを接続してホストコンピュータ用印字装置としても使用できる。また、記憶媒体装着部に装着されたメモリカードの読み書き装置として使用できるものもある。
【０００４】
また、ダイレクトプリンタには、デジタルカメラとダイレクトプリンタをケーブルで接続し、あるいは無線によりデジタルカメラ内に保存されている画像データを印刷するものもある。
【０００５】
また、ダイレクトプリンタの操作部は印刷するときの設定や、ダイレクトプリンタの機能を実行するための１つないしは複数の操作キーを備えている。その操作キーを操作することにより、印刷する画像の選択、印刷枚数の指定、印刷レイアウトの設定等の各種設定を行い印刷する。
【０００６】
また、ダイレクトプリンタは、画像表示用のディスプレイ等を備えることで、印刷する画像を表示しながら印刷する画像を選択することができる。また、印刷する画像に文字列を追加して印刷することや、その他の画像を重ね合わせて印刷するなど、印刷する画像を編集可能なダイレクトプリンタもある。
【０００７】
ダイレクトプリンタの一般的な使用の手順としては、メモリカードに保存されているすべての画像データの一覧がわかるように、画像に対して一意になる文字列、例えば画像番号を付加して印刷するインデックス印刷を行う。そして、インデックス印刷によって得られた画像に対応する画像番号を使用して、メモリカードに保存された画像を選択することで印刷する画像を選択し、印刷を行う。
【発明の開示】
【発明が解決しようとする課題】
【０００８】
ところで、デジタルカメラの使用方法において、同じシーンで複数枚撮影して、その中で最もよく撮れている画像を選択して印刷するという使用方法がよくとられる。そのため、複数の画像の中から、最も良く撮れている画像を選択することになるが、現状のインデックス印刷では、一覧を表示するために小さい画像サイズで印刷されるため、どれが最もよいかを選択することが難しい。そのため、従来のダイレクトプリンタにおいては、選択したい候補すべての画像を印刷しなくてはならないという課題があった。
【０００９】
また、候補となるそれぞれの画像をわかり易くするためにインデックス印刷のレイアウトサイズを大きくしてしまうと、一枚の用紙に印刷される画像数が減る。そのために、すべての画像をインデックス印刷するためにかかる用紙枚数が増えてしまうことになるという課題があった。
【００１０】
本発明は係る実情に鑑みてなされたものであり、写真印刷を簡単、容易に行えるようにする印字装置を提供することを目的とする。
【課題を解決するための手段】
【００１１】
本発明の印字装置は、装着された記憶媒体上の画像データを直接印字する印字装置であって、記憶媒体に保存されている画像データを印刷データに変換する画像処理手段と、前記画像処理手段により作成される印刷データを印字するための印刷手段と、記憶媒体に保存された画像データを、印刷するレイアウトサイズに合わせるための解像度変換手段と、記憶媒体に保存されている画像データの選択、選択された画像データの印刷枚数の指定、及び印刷する画像データの処理項目を設定するための操作部と、記憶媒体に保存されている画像データ、画像データの画像番号、及び当該印字装置の状態を表示するための表示部と、記憶媒体を装着するための記憶媒体装着部と、選択された複数の画像を印刷位置に配置するためのレイアウト配置手段とを備え、１枚の印刷用紙において異なるレイアウトサイズの画像を印刷することを特徴とする。
【発明の効果】
【００１２】
本発明は、同様のシーンを複数枚撮影した画像を自動的にグループ分けし、選択したい画像の候補となりうる画像を、それぞれの違いが識別できるように印刷サイズを変更してインデックス印刷を行う。これにより、最もよい撮影状態の画像を候補の中から簡単に選択することができる。
また、それ以外の画像に関しては通常のサイズで印刷することにより、１枚の用紙中に異なるレイアウトサイズで印刷することができ、インデックス印刷に必要な用紙枚数を節約することが可能となる。
また、複数の画像の候補から選択するために必要な画像のデータは高解像度の画像データから印刷し、画像の確認のための画像データは、低解像度の画像データから印刷する。これにより、候補の画像データはより鮮明に、また、その他の画像は高速に印刷することができ、利用者の利便性を高めることができる。
【発明を実施するための最良の形態】
【００１３】
以下、本発明の実施形態を具体的に説明する。
(第１の実施の形態)
図１は、ダイレクトプリンタの外観を示す図である。ダイレクトプリンタは、装着された記憶媒体上の画像データを直接印字することが可能な印字装置である。図１に示されるダイレクトプリンタ本体１００１は、デジタルカメラ等で撮影した画像データを記憶したメモリカードを装着するための記憶媒体装着部１００２を備えている。本実施形態では、形状の異なるメモリカードをアダプタを介してダイレクトプリンタの記憶媒体装着部１００２に装着するものであるが、個々のメモリカードの形状に合った装着部を複数備えることも可能である。
【００１４】
また、ダイレクトプリンタ本体１００１は、印刷画像の選択、印刷枚数の指定、印刷モードの設定等を行うための操作部１００３を備える。この操作部１００３を操作することにより、ダイレクトプリンタの各種印刷設定（処理項目）や、ダイレクトプリンタのメンテナンス等を行うことができる。
【００１５】
また、ダイレクトプリンタ本体１００１は、ダイレクトプリンタの情報を表示するための表示部１００４を備えている。この表示部１００４では、メモリカードに保存された画像を表示することや、ダイレクトプリンタの状態や、印刷時の設定項目等を表示することが可能である。
【００１６】
また、ダイレクトプリンタの背面には図に示していないが、ホストコンピュータと接続するためのインタフェースを備えている。このインタフェースを介してとホストコンピュータと接続することで、ホストコンピュータ用の通常のプリンタとして使用することや、ダイレクトプリンタに装着されたメモリカードを読み書きするためのメモリーカードリーダとして使用することが可能である。
【００１７】
次にダイレクトプリンタの内部構成例として図２のブロック図を用いて説明する。図２において、画像データ解析手段２００１は、ダイレクトプリンタの記憶媒体装着部１００２に装着された記憶媒体に保存されている画像データの画像サイズや、ピクセルのビット深さなど画像の特徴を解析するための手段である。印刷レイアウト管理手段２００２は、印刷するレイアウトのレイアウト位置およびレイアウトサイズを管理するための手段である。画像展開手段２００３は、画像データを展開するための手段である。解像度変換手段２００４は、印刷レイアウトサイズより、印刷レイアウトに合わせて解像度変換処理を行う手段である。印刷データ作成手段２００５（画像処理手段）は、印刷レイアウトが管理するレイアウト位置に配置した画像データを印刷データに変換する手段である。印刷手段２００６は、印刷データ作成手段２００５により作成された印刷データを印刷するための手段である。操作部制御手段２００７は、記憶媒体上にある画像の選択、選択された画像の枚数の指定および、印刷する画像に処理を施すための設定項目を設定するための手段である。表示部制御手段２００８は、記憶媒体上の画像の番号やプリンタの状態等を表示する手段である。記憶媒体制御手段２００９は、記憶媒体装着部１００２に装着されたメモリカードの管理を行う手段である。撮影時刻検出手段２０１０は、メモリカードに記録されている画像データの撮影時刻を検出する手段である。撮影条件検出手段２０１１は、画像データの撮影状況を検出するための手段である。画像グループ分け手段２０１２は、画像データをグループ分けするための手段である。レイアウト配置手段２０１３は、画像を印刷する位置（印刷位置）を決定する手段である。
【００１８】
次に、上記構成例におけるインデックス印刷の一例を説明する。まず、画像の撮影時刻と撮影状況を検出し、検出された情報に基いて画像データをグループ分けする方法について、図３のフローチャートを用いて説明する。ここでは予め、利用者の操作によりインデックス印刷が選択されたものとする。
【００１９】
まずステップＳ３０１において、ダイレクトプリンタは、メモリカードに記憶されている画像データに対して、印刷可能かを判断する。印刷可能である場合は、ステップＳ３０２において、印刷画像リストに登録する。印刷可能でない場合、ステップＳ３０３において、リストには登録しない。
【００２０】
次にステップＳ３０４において、ダイレクトプリンタは、すべての画像の印刷可否判断が終了したか判定する。終了していないならば、ステップＳ３０５において、メモリカード中の次の画像を対象画像とし、上記ステップＳ３０１から処理を繰り返す。この処理を行うことで印刷画像リストを作成する。
【００２１】
次にステップＳ３０６において、ダイレクトプリンタは、上記手順にて作成した印刷画像リストの先頭から印刷される画像の撮影時刻を検出する。次にステップＳ３０７において、ダイレクトプリンタは、撮影状況を検出する。なお、デジタルカメラで撮影した画像データのほとんどは、画像データ中に撮影時刻や、撮影状況等が書き込まれている。そのため、上記手順ステップＳ３０６、およびステップＳ３０７においてその情報を使用することで、撮影時刻、および撮影状況を得ることができる。また、この２つの手順はそれぞれ印刷可能か判断するステップＳ３０１の間に実行することにより、リスト作成と同時に画像の撮影時刻、撮影状況を検出してもかまわない。
【００２２】
次にステップＳ３０８において、ダイレクトプリンタは、リスト中のすべての画像に対して上記検出処理が終了したかを判断する。すべての画像の検出が終了していない場合は、ステップＳ３０９において、リストに登録されている次の画像を対象画像とし、上記手順ステップＳ３０７から処理を繰り返す。メモリカードに記憶されているすべての画像に対して上記手順を終了したら、処理を終了する。
【００２３】
上記手順により印刷画像リストには印刷可能である画像データの撮影時刻、および撮影状況が登録され、例として表１のような印刷画像リストが作成される。
【００２４】
【表１】
2008290273.tif 000003
【００２５】
次に印刷画像リストに登録された画像データをグループ分けする方法について図４のフローチャートを用いて説明する。グループ分けの方法は、検出された撮影状況ごとに分類することでそれぞれのグループに分割する。
【００２６】
まずステップＳ４０１において、ダイレクトプリンタは、撮影条件検出手段２０１１により、検出された情報において、撮影モードの情報を得る。
【００２７】
次にステップＳ４０２において、ダイレクトプリンタは、撮影条件検出手段２０１１により、撮影時にフラッシュが発光したかどうかを検出する。
【００２８】
同じ状況で複数撮影した場合、フラッシュ発光状態、撮影モード等が同じであることを利用してグループ分けすることができる。
【００２９】
次にステップＳ４０３において、ダイレクトプリンタは、現在検出された撮影条件に一致するグループが存在するかどうか判断する。対応するグループが存在しない場合は、ステップＳ４０４において、新たにそのグループを作成する。対応するグループが存在する場合は、ステップＳ４０５において、その状態の画像を対応するグループとしてグループのリストに登録する。
【００３０】
ここでは、撮影モードとフラッシュのＯＮ、ＯＦＦをグループ分けの判断に使用したが、グループ分けの判断要素として、これに限定するものではない。
【００３１】
次にステップＳ４０６において、ダイレクトプリンタは、印刷画像リストに登録されているすべての画像データのグループ分けが終了したか判断する。すべての画像が終了していない場合は、ステップＳ４０７において、対象となる画像をリストの次の画像にして、上記手順ステップＳ４０１から処理を繰り返す。
【００３２】
リストに登録されているすべての画像の検索が終了したら処理を終了する。これら手順により例として、表２、表３のようなグループリストが作成される。
【００３３】
【表２】
2008290273.tif 000004
【００３４】
【表３】
2008290273.tif 000005
【００３５】
次に、グループリストに登録された画像データの撮影時刻から、さらに細かく関連画像の判断を行う。これは、撮影状況がデジカメにより自動的に決定されてしまう場合などで本来は関連がない画像が同じグループにグループ分けされることを防止するためである。時刻によるグループ分けの手順について図５のフローチャートを用いて説明する。
【００３６】
まずステップＳ５０１において、ダイレクトプリンタは、撮影状況が同じグループ内で撮影時刻順に並び替える。
【００３７】
次にステップＳ５０２において、ダイレクトプリンタは、並び替えられたリストの先頭にある画像データの撮影時刻を基準時刻とする。
【００３８】
次にステップＳ５０３において、ダイレクトプリンタは、リスト上の次の画像を対象画像とし、その画像の撮影時刻と基準時刻との撮影間隔を計算する。
【００３９】
次にステップＳ５０４において、ダイレクトプリンタは、上記ステップＳ５０３で計算した撮影間隔が、特定の間隔内（閾値内）に入っているかを判断する。特定の間隔を判断するための閾値は、あらかじめ作成しておいた時刻グループ分け用の閾値テーブル（表４）を用いて判断する。
【００４０】
【表４】
2008290273.tif 000006
【００４１】
ステップＳ５０４で撮影間隔が閾値を超える場合は、ステップＳ５０５において、対象の画像は同一シーンの撮影ではないと判断し、通常画像フラグをＯＮにする。そして、ステップＳ５０６において、現在対象となっている画像データの撮影時刻を新たに基準時間とする。
【００４２】
一方、上記手順ステップＳ５０４において撮影間隔が閾値の範囲にある場合、同一シーンであると判断し、ステップＳ５０７において、関連画像フラグをＯＮにする。
【００４３】
次にステップＳ５０８において、ダイレクトプリンタは、同一グループのリストに登録されているすべての画像に対する処理が終了したかを判断する。すべての画像に対して処理が終了していない場合は、ステップＳ５０９において、対象画像をリストの次の画像にし、上記手順ステップＳ５０３から繰り返す。
【００４４】
リスト上のすべての画像データに対して、通常画像フラグと関連画像フラグによるグループ分けが終了した場合は、ステップＳ５１０において、すべてのグループの処理が終了したかを判断する。すべてのグループに対して処理が終了していない場合は、ステップＳ５１１において、対象となるグループを次のグループにし、上記手順ステップＳ５０１から処理を繰り返す。すべてのグループに対して上記手順がすべて終了したら、処理を終了する。
【００４５】
上記手順により、個々のグループ毎に、より精度よくグループ分けすることができる。また、最終的な印刷画像リストの例として、表５の印刷画像リストが作成される。
【００４６】
【表５】
2008290273.tif 000007
【００４７】
次に、グループ分けされた画像データ毎に（即ち、画像グループ毎に）異なる印刷レイアウトにて印刷する方法について、図６のフローチャートを用いて説明する。
【００４８】
まずステップＳ６０１において、ダイレクトプリンタは、上記グループ分け手段によりグループ分けされた画像が、通常画像であるか、関連画像であるかを判断する。通常画像の場合は、ステップＳ６０２において、通常のインデックス印刷サイズで印刷するため、印刷レイアウト管理手段２００２から、通常インデックスサイズのレイアウトデータを取得する。
【００４９】
関連画像である場合、ステップＳ６０３において、関連画像サイズのレイアウトデータを印刷レイアウト管理手段２００２から取得する。
【００５０】
次にステップＳ６０４において、すべての画像に対して上記手順を行ったか判断する。すべての画像の処理が終了していない場合は、ステップＳ６０５において、対象画像をリストの次の画像に設定する。すべての画像に対して終了したら次の手順へ進む。
【００５１】
次にステップＳ６０６において、ダイレクトプリンタは、印刷レイアウト管理手段２００２から印刷する印刷用紙のサイズを得る。
【００５２】
次にステップＳ６０７において、ダイレクトプリンタは、レイアウト配置手段２０１３によって、印刷する画像のレイアウトサイズの個数と用紙サイズから、１行に配置する画像数を計算する。また、この配置する画像数は、大きく印刷する画像と通常のサイズで印刷する画像の個数とであらかじめ計算したテーブル表６を用いることで計算処理を省くことも可能である。
【００５３】
【表６】
2008290273.tif 000008
【００５４】
上記手順ステップＳ６０７により1行に印刷される画像数が決定される。次にステップＳ６０８において、ダイレクトプリンタは、レイアウトする順番ごとに画像展開手段２００３において画像を展開する。
【００５５】
次にステップＳ６０９において、展開した画像データをレイアウトサイズにあわせるために、解像度変換手段２００４へ送り、画像サイズをレイアウトサイズに合わせる。そしてステップＳ６１０において、レイアウトサイズに合った画像を印刷データ作成手段２００５で印刷データを作成する。
【００５６】
次にステップＳ６１１において、１行の画像の印刷データ作成が終了したかを判断する。１行分の印刷データの作成が終了していない場合、リスト中の次の画像を印刷画像として、上記手順ステップＳ６０８から繰り返す。
【００５７】
１行分の画像データを作成した場合は、ステップＳ６１２において、印刷手段２００６にて１行分の印刷データを印刷する。印刷終了後、ステップＳ６１３において、１ページ分の画像データの印刷が終了したかを判断する。１ページ分の印刷が終了していない場合、上記手順ステップＳ６０７から処理を繰り返す。１ページ分の印刷が終了したら、処理を終了する。
【００５８】
上記の手順により処理を行うことで、撮影時刻および、撮影状況を基準にグループ分けし、選択候補になる画像データはそれぞれの違いを識別しやすいように大きく印刷し、候補とならないその他の画像について通常の小さいサイズで印刷することができる。これにより、１枚の用紙中で異なるレイアウトサイズのインデックス印刷を行うことができる。上記手順におけるインデックス印刷例を図９に示す。
【００５９】
（第２の実施の形態）
次に、第２の実施の形態として、候補となる画像データは高解像度のデータを用いて、その他の画像データに対しては低解像度のデータを用いて印刷する方法について説明する。
【００６０】
今日のデジタルカメラで撮影された画像データのほとんどは、撮影した画像データである主画像のほかに、画像データより低解像度のサムネイル画像が記録されている。第２の実施の形態は、候補となる画像データは高解像度の主画像を用いて印刷し、その他の画像に対しては低解像度のサムネイル画像を用いて印刷することで、印刷にかかる時間を短縮する方法について説明する。
【００６１】
ダイレクトプリンタの概観、印刷画像リストの作成手段、および、撮影状況によるグループ分けの手段は第１の実施の形態において説明済みであるためここでは省略する。
【００６２】
第２の実施の形態におけるダイレクトプリンタの内部構成例は、図１０にあるように、第１の実施の形態における内部構成に加え、サムネイル画像検出手段１０００１を備えている。このサムネイル画像検出手段１０００１は、同一画像中に主画像、サムネイル画像のように異なる解像度画像データがあるかどうかを判断する。その他の構成要素については第１の実施の形態と同様のため、ここでは説明を省略する。
【００６３】
印刷画像におけるサムネイル、主画像使用の判断方法を図７のフローチャートを用いて説明する。第１の実施の形態と同じ手順により、撮影条件によるグループ分けまで処理が終了しているものとする。
【００６４】
図７のフローチャートと図５のフローチャートとで異なる点は、主画像、サムネイル画像の判断をおこなう手順ステップＳ７０５、ステップＳ７０７のみである。手順ステップＳ７０４にて撮影時刻の間隔が閾値を超える場合、ステップＳ７０５において、通常画像フラグをＯＮにすると同時に、サムネイルフラグをＯＮにする。
【００６５】
手順ステップＳ７０４にて、撮影時刻の間隔が閾値の範囲にあり、同一シーンであると判断された場合は、ステップＳ７０７において、関連画像フラグをＯＮにすると同時に主画像フラグをＯＮにする。
【００６６】
上記手順により、候補となる画像グループである関連画像を主画像、その他の画像をサムネイルに設定することができる。
【００６７】
次に、上記手順にて設定された主画像、サムネイルの情報に従って、画像データを選択して印刷する方法について、図８のフローチャートを用いて説明する。
【００６８】
図８のフローチャートと図６のフローチャートとの違いは、図６における手順ステップＳ６０７のあとに展開する画像データの種類を判断して、主画像、またはサムネイルデータのどちらかを使用するかを選択する点にある。よって、手順ステップＳ８０１〜Ｓ８０７までは、手順ステップＳ６０１〜Ｓ６０７に対応するため、ここでは説明を省略する。
【００６９】
次にステップＳ８０８において、先の手順により設定した主画像フラグがＯＮであるかどうかを判断する。主画像フラグがＯＮの場合は、ステップＳ８０９において、対象画像の主画像で画像の展開を行う。主画像フラグがＯＮでない場合は、ステップＳ８１０において、サムネイル画像検出手段１０００１において、対象画像のサムネイルデータが存在するかどうか判断する。サムネイルデータが存在しない場合は、ステップＳ８０９において、主画像データで画像の展開を行う。
【００７０】
サムネイルデータが存在する場合は、ステップＳ８１１において、サムネイルデータで画像の展開を行う。これ以降の手順は図６のフローチャートにおける手順ステップＳ６０９〜ステップＳ６１３に対応し、以降の印刷処理を行う。
【００７１】
上記手順により、グループ分けされて候補となる画像を高解像度の主画像で印刷し、それ以外の画像は低解像度のサムネイル画像で印刷することができる。
【図面の簡単な説明】
【００７２】
【図１】本発明の実施の形態に係る印字装置の概観例を示す図である。
【図２】本発明の第１の実施の形態に係る印字装置の内部構成例を示すブロック図である。
【図３】本発明の第１の実施の形態に係る印字装置の印刷画像リスト作成フローを示すフローチャートである。
【図４】本発明の第１の実施の形態に係る印字装置の撮影モードによるグループ分けを示すフローチャートである。
【図５】本発明の第１の実施の形態に係る印字装置の撮影時刻によるグループ分けを示すフローチャートである。
【図６】本発明の第１の実施の形態に係る印字装置において行われる、異なるレイアウトによる印刷フローを示すフローチャートである。
【図７】本発明の第２の実施の形態に係る印字装置のサムネイルフラグを制御するフローを示すフローチャートである。
【図８】本発明の第２の実施の形態に係る印字装置において行われる、サムネイル画像による印刷フローを示すフローチャートである。
【図９】本発明の実施の形態に係る印字装置で印字した１ページ中で異なるレイアウトサイズの用紙の例を示す図である。
【図１０】本発明の第２の実施の形態に係る印字装置の内部構成例を示すブロック図である。
【符号の説明】
【００７３】
１００１  ダイレクトプリンタ本体
１００２  記憶媒体装着部
１００３  操作部
１００４  表示部
２００１  画像データ解析手段
２００２  印刷レイアウト管理手段
２００３  画像展開手段
２００４  解像度変換手段
２００５  印刷データ作成手段
２００６  印刷手段
２００７  操作部制御手段
２００８  表示部制御手段
２００９  記憶媒体制御手段
２０１０  撮影時刻検出手段
２０１１  撮影条件検出手段
２０１２  画像グループ分け手段
２０１３  レイアウト配置手段
１０００１  サムネイル画像検出手段
【図１】
2008290273.tif 000009
【図２】
2008290273.tif 000010
【図３】
2008290273.tif 000011
【図４】
2008290273.tif 000012
【図５】
2008290273.tif 000013
【図６】
2008290273.tif 000014
【図７】
2008290273.tif 000015
【図８】
2008290273.tif 000016
【図９】
2008290273.tif 000017
【図１０】
2008290273.tif 000018